(57)【要約】      （修正有）【課題】信号コンタクトの伝送率を均等化して、高速伝送特性を維持できる電気コネクタを提供する。【解決手段】ベース部と該ベース部から前向きに延在する支持舌状部とを含む絶縁ハウジング１と、絶縁ハウジング１に装着される複数のコンタクトとを含む。複数のコンタクトは、少なくとも１対の信号コンタクトＳ及び２本のグラウンドコンタクトＧを含み、信号コンタクトＳとグラウンドコンタクトＧとは、支持舌状部１２に収容される接触部と、回路基板に接続される端子部と、接触部と端子部とを連接する連接部とにより構成する。さらに、グラウンドコンタクトＧの接触部は上段の列に配置され、信号コンタクトＳの接触部は下段の列に配置され、１対の信号コンタクトの接触部各々と、信号コンタクトＳに隣接する２本のグラウンドコンタクトＧの接触部とが等脚台形を構成し、等脚台形の底辺が前記２本のグラウンドコンタクトＧの接触部を連接する。【選択図】図３
0003155159.tif 000002
【実用新案登録請求の範囲】
【請求項１】
ベース部と、該ベース部から前向きに延在する支持舌状部と、を含む絶縁ハウジングと、
前記絶縁ハウジングに装着される複数のコンタクトと、
を含む電気コネクタにおいて、
前記複数のコンタクトは、少なくとも１対の信号コンタクト及び２本のグラウンドコンタクトを含み、
前記信号コンタクトとグラウンドコンタクトとは、各々、前記支持舌状部に収容される接触部と、回路基板に接続される端子部と、前記接触部と前記端子部とを連接する連接部とを含み、
前記グラウンドコンタクトの接触部は前記支持舌状部の上段の列に配置され、前記信号コンタクトの接触部は前記支持舌状部の下段の列に配置され、
前記１対の信号コンタクトの接触部と、前記信号コンタクトに隣接する２本のグラウンドコンタクトの接触部との位置関係が、逆等脚台形であることを特徴とする電気コネクタ。
【請求項２】
前記グラウンドコンタクトの接触部は、前記信号コンタクトの接触部より回路基板に近く、前記信号コンタクトの長さは全て等しいことを特徴とする請求項１に記載の電気コネクタ。
【請求項３】
前記信号コンタクトと前記グラウンドコンタクトとは、前記絶縁ハウジングのベース部の後壁に沿って一列に延在する連接部を有することを特徴とする請求項１に記載の電気コネクタ。
【請求項４】
前記信号コンタクトと前記グラウンドコンタクトとは、前記端子部及び前記接触部各々が平行して一列に配置され、前記複数のコンタクトは表面実装タイプであることを特徴とする請求項３に記載の電気コネクタ。
【請求項５】
前記支持舌状部には、前記絶縁ハウジングを貫通して、前記上段の列に第一収容溝と、前記下段の列に第二収容溝とが形成され、前記グラウンドコンタクトの接触部が前記第一収容溝から突出するように収容され、前記信号コンタクトの接触部が前記支持舌状部の下表面から突出するように前記第二収容溝に収容されることを特徴とする請求項１に記載の電気コネクタ。
【請求項６】
前記支持舌状部には、前記第一収容溝に連通し、且つ前記第一収容溝の下方に位置する保持溝が形成され、前記グラウンドコンタクトが前記保持溝で保持されることを特徴とする請求項１に記載の電気コネクタ。
【考案の詳細な説明】
【技術分野】
【０００１】
本考案は、電気コネクタに関し、特に、回路基板に実装され、高速ディファレンシャル信号伝送用電気コネクタに関する。
【背景技術】
【０００２】
従来技術は、特許文献１に示すように電気コネクタが、コンタクトと、インシュレータと、全体を囲むシェルとから構成され、前記コンタクトは、複数本の信号コンタクトＳと、複数本のグラウンドコンタクトＧと、複数本の一般コンタクトＤとを含み、一対の信号コンタクトＳは、＋信号コンタクトS及び−信号コンタクトＳから成る。その一実施形態において、３種類のコンタクトは、上段の列においては、右側からＳ、Ｓ、Ｓ、Ｓ、Ｄ、Ｄの順に配置され、中段の列においては、右側からＧ、Ｇ、Ｇ、Ｇ、Ｄ、Ｄの順に配置され、下段の列においては、右側からＳ、Ｓ、Ｓ、Ｓ、Ｄの順に配置されている。上段の列において隣接するＳ、Ｓと中段の列におけるＧ、及び中段の列におけるＧと下段の列において隣接するＳ、Ｓは、それぞれ逆等脚台形の頂点に位置する。＋信号コンタクトＳと−信号コンタクトＳとグラウンドコンタクトＧとを、逆等脚台形の頂点に配置することにより、高速伝送特性が維持される。
【先行技術文献】
【特許文献】
【０００３】
【特許文献１】特許第３５６４５５５号明細書
【考案の概要】
【考案が解決しようとする課題】
【０００４】
だが、従来技術の電気コネクタのコンタクトは、上段の列、中段の列、下段の列にそれぞれ配置される信号コンタクトＳの長さが異なるので、１対の信号コンタクトＳ各々のインピーダンスが異なり、更に、各信号コンタクトＳの伝送率が均等にならない。そこで、信号コンタクトの伝送率を均等にするために、電気コネクタが実装される回路基板には、信号コンタクトの伝送率を均等にさせる調整部材を配置することが必要になり、これによって、前記回路基板の配置が複雑になる懸念があった。そこで、新型な電気コネクタを開発することが必要である。
【０００５】
本考案は、信号コンタクトの伝送率が均等であり、高速伝送特性を維持できる電気コネクタを提供することを目的とする。
【課題を解決するための手段】
【０００６】
前記課題を解決するために、本考案は、ベース部と、該ベース部から前向きに延在する支持舌状部と、を含む絶縁ハウジングと、前記絶縁ハウジングに装着される複数のコンタクトとを含む電気コネクタにおいて、前記複数のコンタクトは、少なくとも１対の信号コンタクト及び２本のグラウンドコンタクトを含み、前記信号コンタクトとグラウンドコンタクトとは、前記支持舌状部に収容される接触部と、回路基板に接続される端子部と、前記接触部と端子部とを連接する連接部とを含み、前記グラウンドコンタクトの接触部は上段の列に配置され、前記信号コンタクトの接触部は下段の列に配置され、前記１対の信号コンタクトの接触部各々と、前記信号コンタクトに隣接する２本のグラウンドコンタクトの接触部とが逆等脚台形を構成し、前記等脚台形の底辺が前記２本のグラウンドコンタクトの接触部を連接することを特徴とする。
【考案の効果】
【０００７】
本考案の電気コネクタは、信号コンタクトの接触部が一列で配置されるので、信号コンタクトの長さが等しく、各信号コンタクトのインピーダンスが等しく、従って、各信号コンタクトＳの伝送率が均等になり、回路基板の設計が簡単になる。且つ、１対の信号コンタクト各々がグラウンドコンタクトの間に配置されるので、信号コンタクトのインピーダンスマッチングを容易に維持し、高速伝送特性を維持できる。
【図面の簡単な説明】
【０００８】
【図１】本考案に係る電気コネクタの組立斜視図である。
【図２】図１に示す電気コネクタを他の角度から見た組立斜視図である。
【図３】図１に示す電気コネクタの正面図である。
【図４】本考案に係る電気コネクタの分解斜視図である。
【図５】図４に示す電気コネクタを他の角度から見た分解斜視図である。
【図６】本考案に係る電気コネクタのコンタクトの平面図である。
【図７】図３に示す電気コネクタのＡ−Ａ線に沿う断面図である。
【考案を実施するための形態】
【０００９】
以下、図１〜図７を参照しながら、本考案の電気コネクタ１００の好ましい実施形態について説明する。本考案の電気コネクタ１００は、回路基板(図示せず)に実装され、相手コネクタに嵌合でき、絶縁ハウジング１と、絶縁ハウジング１に装着された複数のコンタクト２と、絶縁ハウジング１をほぼ包囲する外部シールド３と、を含む。
【００１０】
前記絶縁ハウジング１は、ベース部１１と、該ベース部１１の頂部から前向きに延在する支持舌状部１２とを含み、前記ベース部１１は後壁１１２と、後壁１１２に連接する両側壁１１１とを含む。各側壁１１１と後壁１１２とを連接する上下方向での角部には当接凸部１１２１がそれぞれ外部へ突出するように形成されており、該当接凸部１１２１により、外部シールド３の後向きへの移動が制限される。
【００１１】
前記支持舌状部１２の上壁には、絶縁ハウジング１を前後方向に沿って貫通する複数の第一収容溝１２１が並列で設けられ、該複数の第一収容溝１２１は断面が円孔状を呈する。支持舌状部１２の下壁には絶縁ハウジング１を前後方向に沿って貫通して、外部に連通して開放する複数の第二収容溝１２２が並列で設けられる。前記支持舌状部１２の中部には第一収容溝１２１の前後方向に対応して連通する複数の保持溝１２３が形成され、支持舌状部１２の強度を上げるために、支持舌状部１２の上壁には前後方向に沿って延在する複数の凸状リブ１２４が設けられ、前記第一収容溝１２１は凸状リブ１２４を貫通している。電気コネクタ１００が回路基板に実装される時に、前方から見て、前記第一収容溝１２１と保持溝１２３の列が上段に一列で配置され、第二収容溝１２２の列が下段に一列で配置される。
【００１２】
前記ベース部１１の底部から前向きに延在する補強板１３が設けられ、該補強板１３と支持舌状部１２とは平行に配置される。補強板１３の回路基板と対向する底面の両側には、相手コネクタの挿入方向に沿って延在する凸條１３１が形成され、電気コネクタ１００が回路基板に実装される時に、凸條１３１が回路基板に当接することで、絶縁ハウジング１の回路基板に接触する面積が減少し、絶縁ハウジング１の製造誤差を低減できる。且つベース部１１の後壁１１２に、複数の貫通溝１１４が形成されることにより、電気コネクタ１００の重さを低減できる。
【００１３】
複数のコンタクト２は、導電性の金属板で製造され、上段の列での５本のグラウンドコンタクトＧと、下段の列での４対の信号コンタクトＳとを含み、一対の信号コンタクトＳは＋信号コンタクトと−信号コンタクトとで構成される。前記グラウンドコンタクトＧと信号コンタクトＳとは、相手コネクタの相手コンタクトと嵌合するための接触部２１と、回路基板に接続される端子部２３と、前記接触部２１と端子部２３とを連接するための連接部２２と、を含む。
【００１４】
前記グラウンドコンタクトＧは、その接触部２１が前記第一収容溝１２１から突出するように収容され、その連接部２２は前記保持溝１２３に保持される。前記信号コンタクトＳは、その接触部２１が支持舌状部１２の下壁から突出するように第二収容溝１２２に収容される。
【００１５】
絶縁ハウジング１の前方から見て、電気コネクタ１００が回路基板に実装される時に、５本のグラウンドコンタクトＧの接触部２１は、上段の列として第一収容溝１２１および保持溝１２３に保持され、４対の信号コンタクトＳの接触部２１は、下段の列として第二収容溝１２２に収容される。即ち、５本のグラウンドコンタクトＧの接触部２１と４対の信号コンタクトＳの接触部２１とは支持舌状部１２の上下段の列にそれぞれ配置される。図６は、前記絶縁ハウジング１に装着された複数のコンタクト２を回路基板から投影した図を示しており、絶縁ハウジング１を省略した図面である。回路基板から投影して見て、４対の信号コンタクトＳは５本のグラウンドコンタクトＧの間に配置される。
【００１６】
図３は電気コネクタ１００の正面図であり、図３から見て、複数のコンタクト２が絶縁ハウジング１に装着される時に、下段の列での１対の信号コンタクトＳの接触部２１各々と上段の列で隣接する２本のグラウンドコンタクトＧの接触部２１とは、それぞれ等脚台形の頂点に位置して千鳥状に配列され、該等脚台形の底辺が２本のグラウンドコンタクトＧの接触部２１を連接し、これによって、インピーダンスマッチングを容易に維持し、高速伝送特性を維持できる。
【００１７】
前記４対の信号コンタクトＳが第二収容溝１２２に一列で配置され、４対の信号コンタクトＳの長さが等しく、１対の信号コンタクトＳ各々のインピーダンスが等しく、従って、各信号コンタクトＳの伝送率が均等になり、回路基板の設計が簡単になる。
【００１８】
絶縁ハウジング１の後壁１１２に貼り付けられる部分である、前記グラウンドコンタクトＧ及び信号コンタクトＳの連接部２２が一列で配置され、且つ、１対の信号コンタクトＳの連接部２２各々の両側に、グラウンドコンタクトＧの連接部２２が配置されるので、隣接する１対の信号コンタクトＳ各々はインピーダンスマッチングを容易に維持できる。絶縁ハウジング１の貫通溝１１４により、コンタクト２の連接部２２と絶縁ハウジング１との接触面積が減少して、コンタクト２のインピーダンスが減少して、高い伝送率を維持できる。
【００１９】
前記コンタクト２の端子部２３は一列で配置され、絶縁ハウジング１の補強板１３の凸條１３１と同一平面に位置するので、端子部２３の平面度を容易に維持でき、電気コネクタ１００の組付に有利となる。本実施形態において、コンタクト２は表面実装タイプであり、勿論、他の実施形態において、コンタクトをスルーホールタイプとすることができる。
【００２０】
前記外部シールド３は、絶縁ハウジング１をほぼ包囲して、天板３１と、底板３２と、天板３１と底板３２とを連接する両側板３３と、後カバー３４とを含む。
【００２１】
前記天板３１と底板３２と両側板３３とは、同じ金属板で打ち抜けして、相手コネクタを収容するための挿入口（参照記号なし）を有する収容空間３５を形成し、天板３１と底板３２と両側板３３との収容空間３５の側に、相手コネクタに押圧される弾性片３６がそれぞれ延在するように突出する。両側板３３は、先端から外部への向きに折曲がる折曲部３３１と、折曲部３３１から後向きに延在する平板部３３２と、平板部３３２から下向きに延在する第一保持脚３３３とを含み、前記平板部３３２が両側板３３に平行して設けられるので、第一保持脚３３３も両側板３３に平行するように配置され、勿論、他の実施形態においては、第一保持脚３３３は側板３３から直ちに下向きに延在するように形成し得る。
【００２２】
外部シールド３の天板３１に一対の係合孔３１１が形成され、両側板３３の後端には外部への向きに突出部３３４がそれぞれ形成され、底板３２には金属板の継ぎ目３２１が形成される。両側板３３と天板３１及び底板３２とがそれぞれ連接する箇所が絶縁ハウジング１の当接凸部１１２１と当接して、外部シールド３の後向きへの移動を制限することによって、外部シールド３が絶縁ハウジング１に組み付ける時に、外部シールド３に働く作用力が均等化するので、底板３２に形成された継ぎ目３２１の裂けを防止できる。
【００２３】
前記後カバー３４は、前記天板３１と底板３２と両側板３３とに分離するように配置され、外部シールドとは異なる金属板からなり、絶縁ハウジング１を覆う本体部３４１と、本体部３４１の頂縁から前向きに延在する固持片３４２と、本体部３４１の両側縁から前向きに延在する係合片３４３と、本体部３４１の底縁の両端部から下向きに延在する第二保持脚３４４とを含む。前記固持片３４２は絶縁ハウジング１の固持溝１１１０に収容され、固持溝１１１０に設けられる凸部１１７（図示せず）に当接して、後カバー３４の左右方向での移動を制限する。固持片３４２には天板３１の係合孔３１１と係合するための係合部３４２１が形成され、係合片３４３には前記両側板３３の突出部３３４と係合するための孔３４３１が形成され、これらによって、後カバー３４の後向きへの移動が制限される。
【００２４】
前記第二保持脚３４４は、後カバー３４の本体部３４１から直ちに延在するように形成され、本体部３４１と同一平面に位置しており、前記第一保持脚３３３と第二保持脚３４４とは前後方向に離間して下向きに延在している。これによって、電気コネクタ１００が回路基板に実装される時に、電気コネクタ１００の左右方向と前後方向とへの移動が制限される。
【００２５】
組み付ける際に、コンタクト２は後から絶縁ハウジング１に装着され、外部シールド３の後カバー３４が後から絶縁ハウジング１の後壁１１２を覆い、外部シールド３が前方から絶縁ハウジング１に組み付けられるとともに、後カバー３４と係合している。組み付けた時に、絶縁ハウジング１の補強板１３が外部シールド３の底板３２の底部に位置し、外部シールド３の強度を上げることができる。
【００２６】
本考案の電気コネクタ１００は、第一保持脚３３３と第二保持脚３４４とが離間して下向きに延在するように配置されることによって、電気コネクタ１００を回路基板に安定して保持できる。前記絶縁ハウジング１の両側壁１１１の後壁１１２に連接する上下角部に当接凸部１１２１が形成され、外部シールド３を絶縁ハウジング１に組み付ける際に、外部シールド３に働く当接力が均等化されるので、底板３２に形成された継ぎ目３２１の裂けを防止でき、更に、外部シールド３の損害を防止することができる。また、前記支持舌状部１２は下壁だけに収容溝１２１が形成されるので、支持舌状部１２の強度が保証されるとともに、支持舌状部１２の厚さを減少でき、電気コネクタ１００の小型化に有利となる。
【００２７】
以上本考案について最良な実施形態を参照して詳細に説明したが、実施形態はあくまでも例示的なものであり、これらに限定されるものではない。また上述の説明は、本考案に基づき成し得る、細部の修正或は変更など、いずれも本考案の請求範囲に属するものとする。
【符号の説明】
【００２８】
１００  電気コネクタ
１  絶縁ハウジング
１１  ベース部
１１１  両側壁
１１１０  固持溝
１１２  後壁
１１２１  当接凸部
１１４  貫通溝
１１７  凸部
１２  支持舌状部
１２１  第一収容溝
１２２  第二収容溝
１２３  保持溝
１２４  凸状リブ
１３  補強板
１３１  凸條
２  コンタクト
２１  接触部
２２  連接部
２３  端子部
Ｇ  グランドコンタクト
Ｓ  信号コンタクト
３  外部シールド
３１  天板
３１１  係合孔
３２  底板
３２１  継ぎ目
３３  両側板
３３１  折曲部
３３２  平板部
３３３  第一保持脚
３３４  突出部
３４  後カバー
３４１  本体部
３４２  固持片
３４２１  係合部
３４３  係合片
３４３１  孔
３４４  第二保持脚
３５  収容空間
３６  弾性片
【図１】
0003155159.tif 000003
【図２】
0003155159.tif 000004
【図３】
0003155159.tif 000005
【図４】
0003155159.tif 000006
【図５】
0003155159.tif 000007
【図６】
0003155159.tif 000008
【図７】
0003155159.tif 000009
【手続補正書】
【提出日】平成21年8月28日(2009.8.28)
【手続補正１】
【補正対象書類名】実用新案登録請求の範囲
【補正対象項目名】全文
【補正方法】変更
【補正の内容】
【実用新案登録請求の範囲】
【請求項１】
ベース部と、該ベース部から前向きに延在する支持舌状部と、を含む絶縁ハウジングと、
前記絶縁ハウジングに装着される複数のコンタクトと、
を含む電気コネクタにおいて、
前記複数のコンタクトは、少なくとも１対の信号コンタクト及び２本のグラウンドコンタクトを含み、
前記信号コンタクトとグラウンドコンタクトとは、各々、前記支持舌状部に収容される接触部と、回路基板に接続される端子部と、前記接触部と前記端子部とを連接する連接部とを含み、
前記グラウンドコンタクトの接触部は前記支持舌状部の上段の列に配置され、前記信号コンタクトの接触部は前記支持舌状部の下段の列に配置され、
前記１対の信号コンタクトの接触部と、前記信号コンタクトに隣接する２本のグラウンドコンタクトの接触部との位置関係が、逆等脚台形であることを特徴とする電気コネクタ。
【請求項２】
前記グラウンドコンタクトの接触部は、前記信号コンタクトの接触部より回路基板に近く、前記信号コンタクトの長さは全て等しいことを特徴とする請求項１に記載の電気コネクタ。
【請求項３】
前記信号コンタクトと前記グラウンドコンタクトとは、前記絶縁ハウジングのベース部の後壁に沿って一列に延在する連接部を有することを特徴とする請求項１に記載の電気コネクタ。
【請求項４】
前記信号コンタクトと前記グラウンドコンタクトとは、前記端子部及び前記接触部各々が平行して一列に配置され、前記複数のコンタクトは表面実装タイプであることを特徴とする請求項３に記載の電気コネクタ。
【請求項５】
前記支持舌状部には、前記絶縁ハウジングを貫通して、前記上段の列に第一収容溝と、前記下段の列に第二収容溝とが形成され、前記グラウンドコンタクトの接触部が前記第一収容溝から突出するように収容され、前記信号コンタクトの接触部が前記支持舌状部の下表面から突出するように前記第二収容溝に収容されることを特徴とする請求項１に記載の電気コネクタ。
【請求項６】
前記支持舌状部には、前記第一収容溝に連通し、且つ前記第一収容溝の下方に位置する保持溝が形成され、前記グラウンドコンタクトが前記保持溝で保持されることを特徴とする請求項５に記載の電気コネクタ。